(57)【要約】【課題】低コストで素早く充電することが可能なカメラ及び充電方法を提供する。【解決手段】動作モードを切り替えるロータリー式のモードダイヤルの回転軸に略リング形状の永久磁石を軸着することで、このモードダイヤルに連動して永久磁石が回転するようにし、永久磁石のリング沿いに巻かれたコイルと電池とに充電回路を接続して、モードダイヤルの回転によりコイルに発生する誘導電流を充電する充電方法を用いることで、低コストな充電方式が実現でき、また、カメラを構えた状態でモードダイヤルを回す動作は比較的容易であるため、シャッターチャンスにおいて電池が切れた場合でも素早く充電を行える。【選択図】図２
2007292868.tif 000002
【特許請求の範囲】
【請求項１】
カメラの動作モードを切り替えるためのロータリー式のモードダイヤルと、
中心部が前記モードダイヤルの回転軸にカメラの内部で軸着され、このモードダイヤルに連動して回転する略リング形状の永久磁石と、
この永久磁石のリングに沿って巻かれたコイルと、
カメラに電力を供給する電池と、
前記モードダイヤルの回転により前記コイルに発生する誘導電流の電力を前記電池に充電するために、前記電池と前記コイルとに接続された充電回路とを備えることを特徴とするカメラ。
【請求項２】
カメラに電力を供給する電池を充電する充電方法において、
カメラの動作モードを切り替えるロータリー式のモードダイヤルの回転軸に略リング形状の永久磁石の中心部をカメラの内部で軸着することで、このモードダイヤルに連動して前記永久磁石が回転するようにし、
前記永久磁石のリング沿いに巻かれたコイルと前記電池とに充電回路を接続して、
前記モードダイヤルの回転により前記コイルに発生する誘導電流の電力を前記電池に充電することを特徴とする充電方法。
【請求項３】
画像を撮影するためのレリーズボタンと、
一端が前記レリーズボタンの裏面に接続され、このレリーズボタンに連動してレリーズボタンが押下される方向に可動する棒状の永久磁石と、
この永久磁石の棒に沿って巻かれたコイルと、
カメラに電力を供給する電池と、
前記レリーズボタンの押下により前記コイルに発生する誘導電流の電力を前記電池に充電するために、前記電池と前記コイルとに接続された充電回路とを備えることを特徴とするカメラ。
【請求項４】
前記コイルが、前記レリーズボタンの復帰バネとしての機能を備えることを特徴とする請求項３記載のカメラ。
【請求項５】
カメラに電力を供給する電池を充電する充電方法において、
画像を撮影するためのレリーズボタンの裏面に棒状の永久磁石の一端を接続することで、このレリーズボタンに連動してレリーズボタンが押下される方向に前記永久磁石が可動するようにし、
この永久磁石の棒に沿って巻かれたコイルと前記電池とに充電回路を接続して、
前記レリーズボタンの押下により前記コイルに発生する誘導電流の電力を前記電池に充電することを特徴とする充電方法。
【請求項６】
前記コイルが、前記レリーズボタンの復帰バネとしての機能を備えることを特徴とする請求項５記載の充電方法。
【発明の詳細な説明】
【技術分野】
【０００１】
本発明は、充電機能を有するカメラとその充電方法に関する。
【背景技術】
【０００２】
近年、デジタルカメラが普及している。デジタルカメラは、撮影時にＣＣＤ、ＣＰＵ、ＬＣＤなどの各部を駆動させるため、消費電力が大きく、電池は短時間で消耗してしまう。そのため、長時間の撮影を可能にするために、デジタルカメラに発電機（ダイナモ）や太陽電池を設けることで電池の充電を可能としたデジタルカメラが提供されている（特許文献１、特許文献２）。
【０００３】
また、カメラ本体に内装された充電可能な電池で動作するカメラにおいて、本体に、厚み方向に磁化された磁石板とコイル基板とを所定の間隔で対向配置した発電素子を内装すると共に、本体に加えられた圧に応答して発電素子の間隔を変化させて、コイル基板のコイルパターンに電流を誘起させ、この誘起電流を用いて電池を充電するカメラが提案されている（特許文献３）。
【特許文献１】特開２００２−９０８４５号公報
【特許文献２】特開２００４−１１７８１８号公報
【特許文献３】特開２００５−１００９１７号公報
【発明の開示】
【発明が解決しようとする課題】
【０００４】
しかしながら、上記の方法ではいずれも発電機や発電素子等の高価な部品をカメラ本体に実装する必要があり、コスト的に不利である。また、上記の方法では天気に依存して充電が実行できない上、充電動作に時間がかかるため、シャッターチャンスの時に電池切れが発生した場合、ユーザーがとっさに充電を意図的に行うことができない。
【０００５】
本発明は、上記課題を解決するためになされたもので、低コストで素早く充電することが可能なカメラ及び充電方法を提供することを目的とする。
【課題を解決するための手段】
【０００６】
カメラに、カメラの動作モードを切り替えるためのロータリー式のモードダイヤルと、
中心部が前記モードダイヤルの回転軸にカメラの内部で軸着され、このモードダイヤルに連動して回転する略リング形状の永久磁石と、この永久磁石のリングに沿って巻かれたコイルと、カメラに電力を供給する電池と、モードダイヤルの回転によりコイルに発生する誘導電流の電力を電池に充電するために、電池とコイルとに接続された充電回路とを備える。
【０００７】
カメラに電力を供給する電池を充電する充電方法において、カメラの動作モードを切り替えるロータリー式のモードダイヤルの回転軸に略リング形状の永久磁石の中心部をカメラの内部で軸着することで、このモードダイヤルに連動して永久磁石が回転するようにし、永久磁石のリング沿いに巻かれたコイルと電池とに充電回路を接続して、モードダイヤルの回転によりコイルに発生する誘導電流の電力を電池に充電する充電方法を用いる。
【０００８】
カメラに、画像を撮影するためのレリーズボタンと、一端が前記レリーズボタンの裏面に接続され、このレリーズボタンに連動してレリーズボタンが押下される方向に可動する棒状の永久磁石と、この永久磁石の棒に沿って巻かれたコイルと、カメラに電力を供給する電池と、レリーズボタンの押下によりコイルに発生する誘導電流の電力を電池に充電するために、電池とコイルとに接続された充電回路とを備える。
【０００９】
上記コイルに、上記レリーズボタンの復帰バネとしての機能を備える。
【００１０】
カメラに電力を供給する電池を充電する充電方法において、画像を撮影するためのレリーズボタンの裏面に棒状の永久磁石の一端を接続することで、このレリーズボタンに連動してレリーズボタンが押下される方向に前記永久磁石が可動するようにし、この永久磁石の棒に沿って巻かれたコイルと電池とに充電回路を接続して、レリーズボタンの押下によりコイルに発生する誘導電流の電力を電池に充電する充電方法を用いる。
【００１１】
上記コイルに、上記レリーズボタンの復帰バネとしての機能を備える。
【発明の効果】
【００１２】
モードダイヤルの回転による充電方式を用いると、主に永久磁石やコイルといった低価格な部品で構成されているので低コストな充電方式が実現できる。また、カメラで撮影を行う際にカメラを構えた状態でモードダイヤルを回す動作は比較的容易であるため、シャッターチャンスにおいて電池が切れた場合でも素早く充電を行える充電方式を実現できる。
【００１３】
レリーズボタンの押下による充電方式を用いると、同様に主に永久磁石やコイルといった低価格な部品で構成されているので低コストな充電方式が実現できる。また、シャッターチャンスにおいて電池が切れた場合、カメラを構えた状態のままレリーズボタンを押すのはさらに容易であるため、より素早く充電を行える充電方式を実現できる。
【発明を実施するための最良の形態】
【００１４】
図１に本発明のカメラを示す。カメラ１の上面には、カメラの動作モードを切り替えるロータリー式のモードダイヤル２が備えられている。モードダイヤル２を回転させ、動作モードごとに割り当てられた目盛りを所定位置にあわせることで、任意の動作モードでカメラを使用することができる。ここで、動作モードとは、例えば、撮影を行う撮影モードや、撮影した画像データをカメラ１の背面にあるディスプレイ（図示せず）に表示する画像閲覧モードや、カメラ内時刻等の様々な設定を行う設定モード等を指す。
【００１５】
また、カメラ１の上面には、撮影を行う時に押下するレリーズボタン３が備えられている。さらに、カメラ１の正面には撮影レンズ２１とストロボ２２を、背面には、図示しないが、撮影時のスルー画や撮影した画像データを再生表示等するためのディスプレイや、このディスプレイ上で様々な操作を行うための操作キー等が備えられている。
【００１６】
本発明は、前述したモードダイヤル２とレリーズボタン３の操作により、カメラ１の内部に実装された電池に充電を行うものである。
【００１７】
まず、モードダイヤル２の回転による充電方式について、図２にＶａに沿ったモードダイヤル２周辺の断面を示して説明する。モードダイヤル２の裏面の中心部には回転軸５が固定され、筐体ケース４に設けられた挿通孔２３に挿通されているので、Ｌを中心にモードダイヤル２は回動することができる。
【００１８】
回転軸５の先端には、段付きネジ８によって永久磁石６とモードホルダー７が軸着されている。ここで、永久磁石６とモードホルダー７の中心部には、段付きネジ８を通すために適当な形状の穴が予め設けてある。
【００１９】
モードホルダー７は、一端に突起を有した円盤状の部品で、モードダイヤル２と連動して回転すると、この突起の位置が変化する。この突起の位置変化によって、図示しない基板上のスイッチが切り替えられ、前述した動作モードが切り替えられる。
【００２０】
図３に上方より見た永久磁石６とコイル９と、さらにコイル９と電源部の接続を略式に示す。永久磁石６は、回転軸５に軸着する中央部分と周辺のリング部分が繋がった略リング形状をしており、リング部分の一端にコイル９が巻かれている。このため、永久磁石６はモードダイヤル２に連動して回転し、この時、コイル９の輪の中心を貫通する永久磁石６の発する磁束数が変化するため、いわゆるファラデーの法則により電磁誘導が発生し、コイル９には磁束数の変化率に比例した大きさの誘導電流が流れる。この誘導電流は、コイル９と接続された充電回路１１によってカメラ１の駆動電力を供給する電池１２に充電される。この充電回路１１には整流回路等が含まれており、電流から交流成分を除去して平滑化して電池１２に充電を行うことができる。また、電池１２は汎用的なリチウムイオン電池等で実現される。
【００２１】
このように、モードダイヤル２の回転により電池１２が充電されることで、低コストで、かつ、素早い動作での充電を行える充電方式を実現できる。
【００２２】
次に、レリーズボタン３の押下による充電方式について、図４にＶｂに沿ったレリーズボタン３周辺の断面を示して説明する。レリーズボタン３は筐体ケース４に設けられた嵌合部２４に嵌合されており、その裏面の中心には棒状の永久磁石１５が接着剤等によって接続されている。この永久磁石１５の周りには、その棒に沿ってコイル１４が巻かれており、筐体ケース４の裏面に図示しないネジ等によって取り付けられた保持部材１３とレリーズスイッチ３との間に狭まれるように配置され、矢印方向において復帰バネの機能を果たす。したがって、永久磁石１５はレリーズボタン３の押下と連動して矢印方向に可動する。
【００２３】
永久磁石１５は、保持部材１３に設けられた挿通孔１７を挿通し、レリーズボタン３の押下の際、その先端部１６は基板２０に実装された押しボタン１８を押下することで撮影動作が実行される。ここで、この先端部１６は、永久磁石１５と接着剤等の手段で接着されており、このため、永久磁石の発する磁力の影響をできるだけ受けないように硬化ゴム等の非金属材料により実現される。
【００２４】
一方、コイル１４は、保持部材１３の底面に設けられた通し穴１９を介して前述したような充電回路に接続されている。したがって、前述したモードダイヤル２による充電方式と同様に、レリーズボタン３の押下の際、永久磁石１５が可動することで、ファラデーの法則によりコイル１４に誘導電流が発生し、充電回路と接続されている電池が充電されるのである。
【００２５】
このように、レリーズボタン３の押下により電池が充電されることで、低コストで、かつ、さらに素早い動作での充電を行える充電方式を実現できる。
【図面の簡単な説明】
【００２６】
【図１】本発明のカメラを示す斜視図である。
【図２】モードダイヤル周辺の断面図である。
【図３】永久磁石とコイルと電源部の接続を表す模式図である。
【図４】レリーズボタン周辺の断面図である。
【符号の説明】
【００２７】
１  カメラ
２  モードダイヤル
３  レリーズボタン
４  筐体ケース
５  回転軸
６，１５  永久磁石
７  モードホルダー
８  段付きネジ
９，１４  コイル
１０  電源部
１１  充電回路
１２  電池
１３  保持部材
１６  先端部
１７  挿通孔
１８  押しボタン
１９  通し穴
２０  基板
２１  撮影レンズ
２２  ストロボ
２３  挿通孔
２４  嵌合部
【図１】
2007292868.tif 000003
【図２】
2007292868.tif 000004
【図３】
2007292868.tif 000005
【図４】
2007292868.tif 000006